(57)【要約】【課題】  視認性の優れた表示部を有する空気調節装置を提供する。【解決手段】  空気調節装置は、筐体の外側に配置された吹出し部材と、筐体の外側に配置された操作盤５１とを備える。吹出し部材は、補助吹出し部材３，４を含む。補助吹出し部材３は、操作盤５１の一部を覆うように形成された覆い部３０を含む。操作盤５１は、覆い部３０の内側に配置された発光体５４を含む。覆い部３０は、少なくとも一部が発光体５４からの光を透過するように形成されている。【選択図】        図１４
2007021061.tif 000002
【特許請求の範囲】
【請求項１】
筐体と、
前記筐体の外側に配置され、吹出し口を有する吹出し部材と、
前記筐体の外側に配置された操作盤と
を備え、
前記吹出し部材は、平面状に延在して、前記操作盤の一部を覆うように形成された覆い部を含み、
前記操作盤は、前記覆い部の内側に配置された発光体を含み、
前記覆い部は、少なくとも一部が前記発光体からの光を透過または半透過するように形成された、空気調整装置。
【請求項２】
前記覆い部は、端部が円弧状に形成され、
前記覆い部は、前記光を透過するように形成された透過領域と、
前記透過領域の周りに配置され、前記光を反射するように形成された反射領域と
を有し、
前記透過領域は、前記覆い部の前記端部に沿って形成された、請求項１に記載の空気調整装置。
【請求項３】
前記覆い部は、前記透過領域が前記操作盤の表面よりも外側に向かって突出するように形成された、請求項１に記載の空気調整装置。
【請求項４】
前記光を前記覆い部に向かって反射するための反射手段を含む、請求項１に記載の空気調整装置。
【発明の詳細な説明】
【技術分野】
【０００１】
本発明は、空気調節装置に関する。
【背景技術】
【０００２】
空気調節装置の多くは、空気調節装置の稼動状態や周囲の状況などを表示するための表示部を備える。この表示部は、たとえば、表示板の内部に複数の発光体が配置され、それぞれの発光体が点灯することにより、稼働状態や周囲の状況などを示すように形成されている。
【０００３】
特開平９−１９６４０９号公報においては、横方向に細長形状の表示窓の後方に、ＬＥＤ（発光ダイオード）が配置された空気調和機が開示されている。表示窓には半透明の表示カバーが設けられ、ＬＥＤの後方には反射体が設けられている。表示カバーは、ＬＥＤに近接するほど肉厚としていて、反射体は、ＬＥＤから離反するほど表示カバー側に位置する形状とされている。この構成によれば、表示カバーの表面における輝度の均一化を図ることが可能であり、かつ、コンパクト化の要請にも沿うことが可能な表示部を備えた空気調和機を提供できると開示されている。
【０００４】
特開２００３−１６１４８２号公報においては、発光体と発光体の放つ光をイオン発生装置に反射するための反射カバーと、イオン発生装置を視認する視認窓を有する本体とを備える空気清浄機が開示されている。この空気清浄機においては、イオン発生装置がイオンを発生している間、発光体がたとえば青色の光を発してイオン発生装置を照らす。これを視認窓の外から視認することにより、イオン発生装置が駆動していることを知ることができると開示されている。
【特許文献１】特開平９−１９６４０９号公報
【特許文献２】特開２００３−１６１４８２号公報
【発明の開示】
【発明が解決しようとする課題】
【０００５】
従来の技術における空気調節装置の表示部においては、近くからは表示状態を確認できるものの、離れた場所からは表示状態を確認しにくいという問題があった。すなわち、近づいて表示部の表示を確認する必要があった。
【０００６】
たとえば、上記の特開平９−１９６４０９号公報に開示された表示装置においては、小さな表示部に複数の表示を行なう場合には有用である。しかし、使用者が視認を要望する空気調節装置の稼働状況を遠くからは、容易に確認することができないという問題がある。また、表示部を空気調節装置の正面から見たときには表示状況を視認することができるものの、表示部を斜めの方向から見たときに視認しにくいという問題がある。
【０００７】
上記の２００３−１６１４８２号公報に開示された空気清浄機においても同様に、遠くからイオン発生装置の稼動状態を視認することが難しいという問題がある。また、正面に対して斜めの方向から見たときに、視認窓を確認しにくいという問題がある。
【０００８】
本発明は、視認性の優れた表示部を有する空気調節装置を提供することを目的とする。
【課題を解決するための手段】
【０００９】
本発明に基づく空気調節装置は、筐体と、上記筐体の外側に配置され、吹出口を有する吹出し部材と、上記筐体の外側に配置された操作盤とを備える。上記吹出し部材は、平面状に延在して、上記操作盤の一部を覆うように形成された覆い部を含む。上記操作盤は、上記覆い部の内側に配置された発光体を含む。上記覆い部は、少なくとも一部が上記発光体からの光を透過または半透過するように形成されている。
【００１０】
上記発明において好ましくは、上記覆い部は、端部が円弧状に形成されている。上記覆い部は、上記光を透過するように形成された透過領域と、上記透過領域の周りに配置され、上記光を反射するように形成された反射領域とを有する。上記透過領域は、上記覆い部の上記端部に沿って形成されている。
【００１１】
上記発明において好ましくは、上記覆い部は、上記透過領域が上記操作盤の表面よりも外側に向かって突出するように形成されている。
【００１２】
上記発明において好ましくは、上記光を上記覆い部に向かって反射するための反射手段を含む。
【発明の効果】
【００１３】
本発明によれば、視認性の優れた表示部を有する空気調節装置を提供することができる。
【発明を実施するための最良の形態】
【００１４】
図１から図１３を参照して、本発明に基づく実施の形態における空気調節装置について説明する。本実施の形態における空気調節装置は、室内の空気を浄化するための据え置き型の空気清浄機である。
【００１５】
まず、図１から図５を参照して、本実施の形態における空気清浄機の外観構造について説明する。図１は、本実施の形態における空気清浄機を前側から見たときの斜視図であり、図２は、後側から見たときの斜視図である。図３は、本実施の形態における空気清浄機の平面図である。図４は、本実施の形態における空気清浄機の前面パネル、フィルタ押さえ枠および高機能フィルタの組付け構造を示す分解斜視図である。図５は、本実施の形態における空気清浄機において、前面パネル、フィルタ押さえ枠および高機能フィルタを本体ケーシングから取外した状態の斜視図である。
【００１６】
図１から図５を参照して、本実施の形態における空気清浄機１００は、筐体としての本体ケーシング１１０を備える。空気清浄機１００は、前面パネル１４０を備える。本体ケーシング１１０は、縦長の前面開口の箱状体からなり、その内部には空気清浄機１００の主要部品が納められている。筐体は、必要により複数の部材を組合せることによって構成されていても構わない。
【００１７】
本体ケーシング１１０の下部には、脚部１１２が設けられている。脚部１１２は、空気清浄機１００を直立状態で床面等に載置するための部位である。本体ケーシング１１０の上面には、操作盤５１が配置されている。操作盤５１には、後述するように各種操作ボタンや表示ランプ等が配設されている。
【００１８】
本体ケーシング１１０の背面には、把手部１１４が設けられている。把手部１１４は、空気清浄機１００を持ち上げて搬送する際等の利便性を考慮して設けられたものである。また、本体ケーシング１１０の背面からは、電源コード１９０が引き出されている。
【００１９】
前面パネル１４０は、その主面から後方に向かって立設して設けられた側部１４１を有する。前面パネル１４０は、本体ケーシング１１０の前面および側面の一部を覆うように形成されている。前面パネル１４０は、本体ケーシング１１０に着脱自在に形成されている。
【００２０】
図２を参照して、本体ケーシング１１０の側面と前面パネル１４０の側部１４１との間には、隙間が形成されている。この隙間は、吸込口１２４を構成する。吸込口１２４は、外部の空気を内部に導入するための開口部である。本体ケーシング１１０の側面の吸込口１２４に隣接する部分には、周りの空気の清浄度を計測する清浄度計測手段の一部として埃センサ１３６が配置されている。
【００２１】
図３を参照して、本体ケーシング１１０の上部には、吹出し部材９が配置されている。吹出し部材９は、吹出口４１，４２を有する。吹出口４１，４２は、装置内部において浄化された空気を装置外部へと導出するための開口部である。
【００２２】
本実施の形態における吹出し部材は、後述するイオン発生装置の稼動状態表示部１７５を有する。イオン発生装置の稼動状態表示部１７５は、その下方に配設された発光体の色彩や輝度等が変調することにより、視覚的に使用者にイオン発生装置の運転状態を示すように形成されている。
【００２３】
操作盤５１には、空気清浄機１００のオン／オフ動作を切換える電源ボタン１６０、後述するイオン発生装置の運転状態を切換えるイオン発生装置の切換えボタン１６１、空気清浄機１００の運転モードを切換える運転モード切換えボタン１６２、電源オフ状態からワンタッチの操作で特定の運転動作に移行するショートカットボタン１６３等が配設されている。
【００２４】
また、操作盤５１には、これらボタンに隣接して、イオン発生装置の運転状態を示すイオン発生装置の動作状態表示ランプ１７１、空気清浄機１００の運転モードを表示する運転モード表示ランプ１７２、およびショートカットボタンの運転動作が行なわれているか否かを示すショートカット動作有無表示ランプ１７３等が配設されている。
【００２５】
図４を参照して、本体ケーシング１１０の前側に設けられたフィルタ配置部１１８には、高機能フィルタ１５１が収容される。高機能フィルタ１５１の構成としては、種々の構成を採用することができるが、本実施の形態においては、前面側から順に、脱臭フィルタ１５２、ホルムアルデヒド吸着フィルタ１５３および制菌／集塵フィルタ１５４の３つのフィルタが積層配置されている。これらの脱臭フィルタ１５２、ホルムアルデヒド吸着フィルタ１５３および制菌／集塵フィルタ１５４は、前方に配置されるフィルタ押さえ枠１５０が本体ケーシング１１０の前面に固定されることにより、本体ケーシング１１０のフィルタ配置部１１８に保持される。
【００２６】
図５を参照して、本体ケーシング１１０のフィルタ配置部１１８の後方に設けられた仕切り壁１２０には、連通孔１２１が形成されている。連通孔１２１の前面には、金属ガード１２２が配置されている。仕切り壁１２０は、本体ケーシング１１０の内部空間を前方空間Ｓ１と後方空間Ｓ２とに仕切るものである（図６参照）。金属ガード１２２は、メンテナンス作業時等に作業者が過って動作中のファンに指を差し込まないためのガード部材である。また、本体ケーシング１１０の前面には、空気の清浄度計測手段の一部として臭いセンサ１３８が配置されている。
【００２７】
次に、図６から図８を参照して、本実施の形態における空気清浄機の内部構造および装置本体内部における空気の流れについて説明する。図６は、本実施の形態における空気清浄機の図１に示すＶＩ−ＶＩ線に沿った断面図であり、図７は、図１に示すＶＩＩ−ＶＩＩ線に沿った断面図である。図８は、本実施の形態における空気清浄機において、本体ケーシングの背面部分を構成する部材を取外した状態を示す一部破断背面図である。図６から図８においては、空気の流れを矢印にて示している。
【００２８】
図６および図７に示すように、空気清浄機１００の内部には、仕切り壁１２０が配置されている。仕切り壁１２０の前方には、高機能フィルタ１５１が配置されている。高機能フィルタ１５１の前方には、前面パネル１４０が配置されている。
【００２９】
高機能フィルタ１５１は、前面パネル１４０と仕切り壁１２０との間に位置する前方空間Ｓ１を前後方向に２分割している。高機能フィルタ１５１に仕切られた前方の空間および後方の空間は、それぞれが空気の流路となる。図７を参照して、前方空間Ｓ１は、本体ケーシング１１０の側方において吸込口１２４を通じて外部と連通している。
【００３０】
図６から図８に示すように、仕切り壁１２０の後方には、シロッコファン１３０が配置されている。シロッコファン１３０は、その後方に配置されたモータ１３２によって回転駆動される。なお、仕切り壁１２０に設けられた連通孔１２１は、シロッコファン１３０の吸い込み面と対面して形成されている。
【００３１】
本体ケーシング１１０の内部の後方空間Ｓ２は、本体ケーシング１１０に配置された主吹出し部材１の吹出口４１，４２に連通している。吹出口４１，４２のそれぞれには、風向板１１，１２が配置されている。風向板１１，１２は、吹出口４１，４２から吹出される空気の風向きを整えるように形成されている。
【００３２】
本体ケーシング１１０の内部の後方空間Ｓ２には、流路形成部材１２３が配置されている。流路形成部材１２３は、シロッコファン１３０によって後方空間Ｓ２に導入された空気を吹出口４１，４２に導くための部材である。流路形成部材１２３は、下部においてシロッコファン１３０を取り囲み、上部においてシロッコファン１３０から吹出された空気を吹出口４１，４２に導く形状に形成されている。
【００３３】
後方空間Ｓ２に面する仕切り壁１２０の所定位置には、正イオンおよび負イオンの少なくともいずれか一方を形成するためのイオン発生装置１３４が配置されている。イオン発生装置１３４においては、イオン発生素子に設けられた電極間に交流電圧を印加することにより、空気中の酸素から水分がイオン化される。イオン発生装置１３４のイオン放出面を空気の流路に対面して配置することにより、発生したイオンを空気の流れに乗せて装置外部へと放出する。
【００３４】
空気清浄機１００にあっては、シロッコファン１３０がモータ１３２によって回転駆動されることにより、本体ケーシング１１０の前方空間Ｓ１が負圧になって、本体ケーシング１１０の側方に位置する吸込口１２４を通じて室内の空気が前方空間Ｓ１に取り込まれる。取り込まれた空気は、高機能フィルタ１５１を通過する際に脱臭処理、ホルムアルデヒドの吸着処理、集塵処理および制菌処理が施され、仕切り壁１２０に形成された連通孔１２１を通過して後方空間Ｓ２へと導入される（図６および図７参照）。
【００３５】
後方空間Ｓ２に流入した空気は、シロッコファン１３０の外周部から外側に向かって吹出される。シロッコファン１３０から吹出された空気は、流路形成部材１２３に導かれて後方空間Ｓ２内を上昇し、イオン発生装置１３４によって所定濃度の正イオンまたは／および負イオンが付加されて吹出口４１，４２から室に吹出される（図６および図８参照）。
【００３６】
図９に、図２におけるＡ部の分解斜視図を示す。図９は、本実施の形態における空気清浄機の吹出口の部分の分解斜視図である。
【００３７】
本実施の形態における吹出し部材９は、筐体の上部に配置されている。本実施の形態における吹出し部材９は、主吹出し部材１を含む。主吹出し部材１に形成された吹出口４１には、風向板１１が配置されている。主吹出し部材１に形成された吹出口４２には、風向板１２が配置されている。風向板１１，１２は、それぞれが上側に向かって空気を吹出すように配置されている。
【００３８】
吹出口４１と吹出口４２との間には、溝部１３が形成されている。溝部１３は、平面形状が円弧状になるように形成されている。溝部１３には、イオン発生装置の稼動状態表示部１７５の光源が保持するための保持部材２が配置されている。保持部材２は、溝部１３の形状に沿って形成されている。保持部材２は、溝部１３に嵌合するように形成されている。
【００３９】
本実施の形態における吹出し部材９は、第１の補助吹出し部材として、補助吹出し部材３を含む。補助吹出し部材３は、嵌合部３１ａおよび板部３１ｂを有する。補助吹出し部材３は、平面視したときに、嵌合部３１ａおよび板部３１ｂに囲まれる部分が中空になるように、閉じた形状を有する。嵌合部３１ａは、主吹出し部材１の溝部１３に嵌合するように形成されている。補助吹出し部材３は、平面的に見たときに、嵌合部３１ａおよび板部３１ｂによって囲まれる空間に、主吹出し部材１の吹出口４２が配置されるように形成されている。
【００４０】
本実施の形態における吹出し部材９は、第２の補助吹出し部材として、補助吹出し部材４を含む。補助吹出し部材４は、板部２７ａおよび板部２７ｂを有する。板部２７ａは、補助吹出し部材３の板部３１ｂに沿うように形成されている。板部２７ａは、遮光部２６を有する。遮光部２６は、光を透過しないように形成されている。
【００４１】
図１０に、第１の補助吹出し部材の断面図を示す。本実施の形態における補助吹出し部材３は、透明な樹脂で形成されている。補助吹出し部材３の内側の面は、塗料で着色されている。補助吹出し部材３は、上述する発光体からの光の一部を通すように形成されている。
【００４２】
補助吹出し部材３の嵌合部３１ａは、断面形状がほぼＶ字型になるように形成されている。板部３１ｂは、覆い部３０を有する。覆い部３０は、補助吹出し部材３の端部が平面状に延在して形成されている。覆い部３０は、後述するように、空気清浄機に配置された操作盤の一部を覆うように形成されている。覆い部３０の上面には、挿入部３３が形成されている。挿入部３３は、補助吹出し部材４の遮光部２６が嵌合するように形成されている。
【００４３】
覆い部３０は、平面的に見たときに端部が円弧状に形成されている。覆い部３０は、光を透過するように形成された透過領域Ｒ１を有する。覆い部は、透過領域Ｒ１の周りに配置され、発光体からの光を反射するための反射領域Ｒ２を有する。反射領域Ｒ２においては、後述するように補助吹出し部材４の遮光部２６が配置されることによって、発光体からの光が反射される。
【００４４】
図１１に、第２の補助吹出し部材の側面図を示す。本実施の形態における補助吹出し部材４は、不透明な樹脂で形成されている。補助吹出し部材４の板部２７ａは、補助吹出し部材３の覆い部３０の挿入部３３に嵌め込まれるように形成されている。板部２７ｂは、補助吹出し部材４が主吹出し部材１に載置されたときに、主表面がほぼ鉛直方向に延びるように形成されている。板部２７ａの遮光部２６においては、第１の補助吹出し部材３と嵌合する側の表面に発光体からの光を反射できるようにめっき膜が形成されている。
【００４５】
図１２に、本実施の形態における空気調節装置から補助吹出し部材３，４を取外したときの平面図を示す。主吹出し部材１は、空気調節装置の上部の後側に配置されている。空気調節装置の上部の前側には、操作盤５１が配置されている。
【００４６】
本実施の形態における操作盤５１は、反射手段として凹部５３を有する。凹部５３は、第１の補助吹出し部材の覆い部の端部の形状に沿うように形成されている。凹部５３は、表面から凹むように形成されている。本実施の形態における凹部５３は、平面形状が円弧状に形成されている。凹部５３は、空気調節装置の幅方向に延びるように形成されている。
【００４７】
本実施の形態における操作盤５１は、発光体５４を含む。本実施の形態においては、発光体５４として、ＬＥＤ（Light Emitting Diode）が配置されている。発光体５４は、凹部５３の内側に配置されている。発光体５４は、凹部５３の幅方向のほぼ中央部分に配置されている。本実施の形態における凹部５３は、発光体５４からの光を反射するように形成されている。本実施の形態においては、凹部５３の表面にめっき膜が形成されている。
【００４８】
本実施の形態における発光体５４は、３色の色を発光できるように形成されている。本実施の形態においては、空気調節装置の周りの空気の清浄度を知らせるための表示部の発光体として形成されている。本実施の形態における空気調節装置は、周りの空気の清浄度を計測するための清浄度計測手段を備える。清浄度計測手段は、埃センサ１３６および臭いセンサ１３８（図２および図５参照）を含む。
【００４９】
本実施の形態における空気調節装置は、発光体の点灯を制御するための制御手段を備える。発光体の制御手段は、清浄度計測手段で計測された空気の清浄度の信号に応じて、それぞれの色に発光体を点灯するように形成されている。本実施の形態においては、制御手段は、周りの空気の清浄度が優れている場合には緑色、やや汚れている場合には柿色、非常に汚れている場合には赤色に点灯するように形成されている。
【００５０】
図１３に、図６におけるＢ部の拡大断面図を示す。図１３は、操作盤および吹出し部材の部分の拡大断面図である。主吹出し部材１の溝部１３には、保持部材２が配置されている。補助吹出し部材３および補助吹出し部材４は、主吹出し部材１に載置されている。補助吹出し部材３は嵌合部３１ａが、溝部１３に嵌合している。補助吹出し部材３の覆い部３０は、操作盤５１の凹部５３を覆うように配置されている。操作盤５１の凹部５３は、覆い部３０の内側に配置されている。
【００５１】
図１０、図１１および図１３を参照して、補助吹出し部材４の遮光部２６が補助吹出し部材３の挿入部３３に嵌め込まれる。補助吹出し部材４は、補助吹出し部材３に固定される。このように、本実施の形態においては、主吹出し部材と２つの補助吹出し部材によって、吹出し部材が構成されている。
【００５２】
図１３を参照して、本実施の形態における空気清浄機が駆動することにより、矢印６１に示すように、吹出口４１から浄化された空気が放出される。また、矢印６２に示すように、補助吹出し部材３と補助吹出し部材４とに挟まれる空間から浄化された空気が放出される。また、矢印６３に示すように、補助吹出し部材４に囲まれる空間から浄化された空気が放出される。このとき、浄化された空気は、補助吹出し部材３，４の表面の形状に沿って放出される。すなわち、補助吹出し部材３，４は、風向板として形成されている。
【００５３】
図１４に、図１３におけるＣ部の拡大断面図を示す。発光体５４からの光は、矢印６４に示すように、覆い部３０の透過領域Ｒ１から発せられる。図３を参照して、発光体５４が発光することにより、発光領域Ｒ３が帯状に明るくなる。本実施の形態における発光領域Ｒ３は、操作盤に形成された凹部の形状に沿って円弧状に光る。使用者は、発光領域Ｒ３の色を視認することにより、室内の空気の清浄度を知ることができる。このように、表示部の発光領域が発光することにより、遠くからでも容易に表示部を視認することができる。
【００５４】
また、本実施の形態においては、操作盤が凹部を含み、凹部に発光体が配置されている。吹出し部材は、操作盤の凹部を覆うように形成された覆い部を含む。この構成を採用することにより、吹出し部材の一部を表示部として用いることができ、部品点数を少なくすることができる。
【００５５】
図１４を参照して、本実施の形態においては、凹部５３は、発光体５４からの光を覆い部３０に向かって反射する。発光体からの光を反射するための反射手段を含むことによって、表示部の輝度が向上する。また、補助吹出し部材３の反射領域Ｒ２においては、矢印６３に示すように、発光体５４からの光が反射される。覆い部が、発光体からの光を反射するように形成された反射領域を有することによって、表示部の輝度が向上する。
【００５６】
図１３および図１４を参照して、本実施の形態における覆い部３０は、前側から見たときに、操作盤５１の表面よりも外側に向かって突出するように形成されている。すなわち、操作盤５１の表面よりも覆い部３０が高くなるように形成されている。この構成を採用することにより、覆い部３０の透過領域から出される光をより容易に視認することができる。
【００５７】
本実施の形態における吹出し部材は、主吹出し部材と２つの補助吹出し部材とを含んでいたが、この形態に限られず、たとえば、吹出し部材が１つの部材で形成されていても構わない。
【００５８】
本実施の形態における発光体は、３色の色を発するように形成されているが、発光する色の数に限定はなく、たとえば、１色であってもよい。または、本実施の形態においては１個の発光体が配置されているが、この形態に限られず、複数の発光体が配置されていても構わない。
【００５９】
また、本実施の形態においては、空気調節装置として空気清浄機を取り挙げて説明を行なったが、この形態に限られず、本発明における空気調節装置とは、装置外部から装置内部に空気を導入して、導入した空気に何らかの処理を施した上で装置外部へと送出する装置を指す。本発明における空気調節装置は、上述した据え置き型の空気清浄機のほかに、壁掛け式の空気清浄機やビルトインタイプの空気清浄機、車載用の空気清浄機、さらには、空気調和機、除湿機、加湿器、電気ヒータ、石油ストーブ、石油ファンヒータ、ガスヒータ、建築物用の空調装置、車載用の空調装置等を含む。
【００６０】
上記の実施の形態に係るそれぞれの図面において、同一または相当する部分には、同一の符号を付している。
【００６１】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６２】
【図１】実施の形態における空気清浄機を前側から見たときの斜視図である。
【図２】実施の形態における空気清浄機を後側から見たときの斜視図である。
【図３】実施の形態における空気清浄機の平面図である。
【図４】実施の形態における空気清浄機の分解斜視図である。
【図５】実施の形態における空気清浄機から前面パネルおよびフィルタを取外したときの斜視図である。
【図６】実施の形態における空気清浄機の一の断面図である。
【図７】実施の形態における空気清浄機の他の断面図である。
【図８】実施の形態における空気清浄機の一部破断断面図である。
【図９】実施の形態における空気清浄機の吹出口の部分の分解斜視図である。
【図１０】実施の形態における第１の補助吹出し部材の断面図である。
【図１１】実施の形態における第２の補助吹出し部材の側面図である。
【図１２】実施の形態における空気清浄機から第１の補助吹出し部材および第２の補助吹出し部材を取外したときの平面図である。
【図１３】実施の形態における空気清浄機の吹出口の部分の断面図である。
【図１４】実施の形態における表示部の部分の拡大断面図である。
【符号の説明】
【００６３】
１  主吹出し部材、２  保持部材、３，４  補助吹出し部材、９  吹出し部材、１１，１２  風向板、１３  溝部、２６  遮光部、２７ａ，２７ｂ  板部、３０  覆い部、３１ａ  嵌合部、３１ｂ  板部、３３  挿入部、４１，４２  吹出口、５１  操作盤、５３  凹部、５４  発光体、６１〜６４  矢印、１００  空気清浄機、１１０  本体ケーシング、１１２  脚部、１１４  把手部、１１８  フィルタ配置部、１２０  仕切り壁、１２１  連通孔、１２２  金属ガード、１２３  流路形成部材、１２４  吸込口、１３０  シロッコファン、１３２  モータ、１３４  イオン発生装置、１３６  埃センサ、１３８  臭いセンサ、１４０  前面パネル、１４１  側部、１５０  フィルタ押さえ枠、１５１  高機能フィルタ、１５２  脱臭フィルタ、１５３  ホルムアルデヒド吸着フィルタ、１５４  制菌／集塵フィルタ、１６０  電源ボタン、１６１  イオン発生装置の切換えボタン、１６２  運転モード切替ボタン、１６３  ショートカットボタン、１７１  イオン発生装置の動作状態表示ランプ、１７２  運転モード表示ランプ、１７３  ショートカット動作有無表示ランプ、１７５  イオン発生装置の稼動状態表示部、１９０  電源コード、Ｓ１  前方空間、Ｓ２  後方空間、Ｒ１  透過領域、Ｒ２  反射領域、Ｒ３  発光領域。
【図１】
2007021061.tif 000003
【図２】
2007021061.tif 000004
【図３】
2007021061.tif 000005
【図４】
2007021061.tif 000006
【図５】
2007021061.tif 000007
【図６】
2007021061.tif 000008
【図７】
2007021061.tif 000009
【図８】
2007021061.tif 000010
【図９】
2007021061.tif 000011
【図１０】
2007021061.tif 000012
【図１１】
2007021061.tif 000013
【図１２】
2007021061.tif 000014
【図１３】
2007021061.tif 000015
【図１４】
2007021061.tif 000016